(57)【要約】【課題】異音の発生を抑えることができるエレベータのドアの脱落防止装置の提供。【解決手段】ドア２のドアレール３に掛止するドアハンガー４に設けられた金属製の第一ローラー６０と、前記ドアハンガー４に設けられ且つ弾性を有する第二ローラー６１とを備え、前記第一ローラー６０は、前記ドアレール３の下端面との間に上下方向で間隔をあけた状態で配置され、前記第二ローラー６１は、前記下端面に当接する、若しくは、前記上下方向における前記下端面との間隔が、前記上下方向における前記第一ローラー６０と前記下端面との間隔よりも狭くなるように配置される。【選択図】図１
2020158219.tif 000002
【特許請求の範囲】
【請求項１】
かごの出入口を開閉するドアをドアレールに掛止するドアハンガーと、
該ドアハンガーに設けられた金属製の第一ローラーと、
前記ドアハンガーに設けられ且つ弾性を有する第二ローラーとを備え、
前記第一ローラーは、前記ドアレールの下端面との間に上下方向で間隔をあけた状態で配置され、
前記第二ローラーは、前記下端面に当接する、若しくは、前記上下方向における前記下端面との間隔が、前記上下方向における前記第一ローラーと前記下端面との間隔よりも狭くなるように配置される、
エレベータのドアの脱落防止装置。
【請求項２】
前記第二ローラーは、前記ドアの開閉方向において、前記第一ローラーと前記ドアの中央との間に配置される、
請求項１に記載のエレベータのドアの脱落防止装置。
【請求項３】
前記ドアを一対有し、
該一対のドアは、開閉動作時に互いに接離する方向にスライドするように構成され、
前記一対のドアのそれぞれに前記ドアハンガーが個別に設けられ、
前記一対のドアのうちの一方のドアに設けられた前記ドアハンガーと、前記一対のドアのうちの他方のドアに設けられた前記ドアハンガーとには、それぞれ前記第一ローラーと前記第二ローラーとが設けられている、
請求項１又は請求項２に記載のエレベータのドアの脱落防止装置。
【請求項４】
前記ドアを閉じた状態において、前記ドアの閉方向側の一端部側の傾きを抑えるようにして前記ドアを押圧する押構造を備え、
前記ドアを一対有し、
該一対のドアは、開閉動作時に互いに接離する方向にスライドするように構成され、
前記一対のドアのそれぞれに対して前記ドアハンガーが個別に設けられ、
前記一対のドアのうちの一方のドアに設けられた前記ドアハンガーには前記第一ローラーと前記第二ローラーとが設けられ、
前記一対のドアのうちの他方のドアに設けられた前記ドアハンガーには前記第一ローラーと前記押構造とが設けられる、
請求項１又は請求項２に記載のエレベータのドアの脱落防止装置。
【請求項５】
前記押構造は、前記ドアを閉じた状態において、前記他方のドアの位置が前記閉方向とは反対側の開方向側にずれることを防止するための終端保持装置によって構成され、
該終端保持装置は、前記ドアを閉じた状態において、前記ドアの開閉方向における中央部、若しくは該中央部よりも前記閉方向側を、前記閉方向斜め下側に向けて押圧するように構成される、
請求項４に記載のエレベータのドアの脱落防止装置。
【発明の詳細な説明】
【技術分野】
【０００１】
本発明は、ドアレールからドアが脱落してしまうことを防止するエレベータのドアの脱落防止装置に関する。
【背景技術】
【０００２】
従来、エレベータには上記の脱落防止装置が設置されている。
【０００３】
例えば、特許文献１に開示されている脱落防止装置は、ドアハンガーの下端部側に金属製の一対のローラーを備えている。この一対のローラーのそれぞれは、ドアを開閉する方向で間隔をあけて並び、且つドアレールの下端面に当接するように配置されている。
【０００４】
上記脱落防止装置が設置されているエレベータでは、ドアレールの下端面に当接した状態のままドアがスライドするため、ドアを開く際の傾き（閉方向側の一端が浮き上がるような傾き）が防止される。
【先行技術文献】
【特許文献】
【０００５】
【特許文献１】特開昭５９−４４４７８号公報
【発明の概要】
【発明が解決しようとする課題】
【０００６】
ところで、上記従来の脱落防止装置では、ローラーがドアレールの下端面から下方側に離れた位置に配置されることがあり、この場合、ローラーとドアレールとの間には上下方向において隙間が形成される。そのため、ドアが開閉動作時に傾くと、ローラーがドアレールの下端面に衝突する、すなわち、金属と金属とが衝突することによって異音が発生することが問題となっている。
【０００７】
そこで、本発明は、かかる実情に鑑み、異音の発生を抑えることができるエレベータのドアの脱落防止装置を提供することを課題とする。
【課題を解決するための手段】
【０００８】
本発明のエレベータのドアの脱落防止装置は、
かごの出入口を開閉するドアをドアレールに掛止するドアハンガーと、
該ドアハンガーに設けられた金属製の第一ローラーと、
前記ドアハンガーに設けられ且つ弾性を有する第二ローラーとを備え、
前記第一ローラーは、前記ドアレールの下端面との間に上下方向で間隔をあけた状態で配置され、
前記第二ローラーは、前記下端面に当接する、若しくは、前記上下方向における前記下端面との間隔が、前記上下方向における前記第一ローラーと前記下端面との間隔よりも狭くなるように配置されている。
【０００９】
かかる構成によれば、ドアが開閉動作時に傾こうとしても（浮き上がろうとしても）、第二ローラーがドアレールに当接しているか、第二ローラーが第一ローラーよりも先にドアレールに当接するため、第一ローラーとドアレールとの衝突が抑制される。従って、第一ローラーとドアレールとの衝突による異音の発生が抑えられる。
【００１０】
また、本発明のエレベータのドアの脱落防止装置において、
前記第二ローラーは、前記ドアの開閉方向において、前記第一ローラーと前記ドアの中央との間に配置されていてもよい。
【００１１】
この場合においても、ドアを開く際における第一ローラーとドアレールとの衝突が抑制されるため、第一ローラーとドアレールとの衝突による異音の発生が抑えられる。
【００１２】
また、本発明のエレベータのドアの脱落防止装置において、
前記ドアを一対有し、
該一対のドアは、開閉動作時に互いに接離する方向にスライドするように構成され、
前記一対のドアのそれぞれに前記ドアハンガーが個別に設けられ、
前記一対のドアのうちの一方のドアに設けられた前記ドアハンガーと、前記一対のドアのうちの他方のドアに設けられた前記ドアハンガーとには、それぞれ前記第一ローラーと前記第二ローラーとが設けられていてもよい。
【００１３】
このようにすれば、いわゆるセンターオープンのドアであっても、各ドアを開く際における第一ローラーとドアレールとの衝突が抑制される。
【００１４】
また、本発明のエレベータのドアの脱落防止装置は、
前記ドアを閉じた状態において、前記ドアの閉方向側の一端部側の傾きを抑えるようにして前記ドアを押圧する押構造を備え、
前記ドアを一対有し、
該一対のドアは、開閉動作時に互いに接離する方向にスライドするように構成され、
前記一対のドアのそれぞれに対して前記ドアハンガーが個別に設けられ、
前記一対のドアのうちの一方のドアに設けられた前記ドアハンガーには前記第一ローラーと前記第二ローラーとが設けられ、
前記一対のドアのうちの他方のドアに設けられた前記ドアハンガーには前記第一ローラーと前記押構造とが設けられていてもよい。
【００１５】
かかる構成によれば、前記他方のドアは、出入口を閉じている状態においては押構造からの押圧力を受けるため、出入口を開き始める際の傾き（浮き上がってしまうこと）が抑えられる。従って、前記他方のドアにおいても、第一ローラーがドアレールに接近し難くなり、第一ローラーとドアレールとの衝突が抑制される。
【００１６】
この場合、
前記押構造は、前記ドアを閉じた状態において、前記他方のドアの位置が前記閉方向とは反対側の開方向側にずれることを防止するための終端保持装置によって構成され、
該終端保持装置は、前記ドアを閉じた状態において、前記ドアの開閉方向における中央部、若しくは該中央部よりも前記閉方向側を、前記閉方向斜め下側に向けて押圧するように構成されていてもよい。
【００１７】
エレベータにはドアを閉じた状態でドアの開方向側への位置ずれを防止する終端保持装置が設置されており、上記構成の脱落防止装置では、かかる終端保持装置を前記他方のドアの傾きを抑えるための押構造として兼用できる。
【発明の効果】
【００１８】
以上のように、本発明のエレベータのドアの脱落防止装置は、金属製の第一ローラーとドアレールとの衝突を抑制することによって、異音の発生を抑えることができるという優れた効果を奏し得る。
【図面の簡単な説明】
【００１９】
【図１】図１は、本発明の一実施形態に係る脱落防止装置が設けられたドア装置の正面図である。
【図２】図２は、図１における一方のドアに設けられたドアハンガー近傍の拡大図である。
【図３】図３は、図１における他方のドアに設けられたドアハンガー近傍の拡大図である。
【図４】図４は、本発明の他実施形態に係る脱落防止装置が設けられたドア装置の正面図である。
【発明を実施するための形態】
【００２０】
以下、本発明の一実施形態に係るエレベータのドアの脱落防止装置（以下、脱落防止装置と称する）について、添付図面を参照しつつ説明を行う。なお、本実施形態においては、脱落防止装置を含むかごの出入口を開閉するドア装置について説明を行うこととする。
【００２１】
ドア装置は、図１に示すように、かごの出入口を開閉するドア２と、該出入口の上方（より具体的には、出入口の上方に固定されているプレートＰ）に設置され、且つ水平方向に沿って延びるドアレール３と、該ドア２に取り付けられ、且つドアレール３に対して前記水平方向でスライド可能な状態で掛止されるドアハンガー４と、ドア２の閉状態を維持するための終端保持装置５と、ドア２がドアレール３から脱落することを防止する脱落防止装置６と、前記ドア２に駆動力を伝達して開閉動作させるための駆動機構７と、を備えている。
【００２２】
本実施形態に係るドア装置は、いわゆる、センターオープンのドア装置である。なお、本実施形態に係るドア装置は、一対のドア２を一組備えているが、一対一組のドア２を複数組備えていてもよい。
【００２３】
ドア２は、水平方向に沿ってスライド可能である。また、本実施形態においては、一対のドア２のうちの一方のドア２にムーバブルカムＣが取り付けられている。
【００２４】
本実施形態では、上下に対応する方向を上下方向、開閉動作時にドア２がスライドする方向を開閉方向、そして、上下方向と開閉方向とに直交する方向を前後方向と称して以下の説明を行うこととする。また、ドア２が閉動作時にスライドする方向を特に閉方向、ドア２が開動作時にスライドする方向を特に開方向と称する。
【００２５】
ドア２には、前記閉方向側の一端（以下、閉側端と称する）と、前記開方向側の一端（以下、開側端と称する）とが含まれている。
【００２６】
ドアレール３は、ドア２を前記開閉方向で案内するための部材である。なお、ドアレール３は、自身の長手方向が前記開閉方向に対応するように設置されている。
【００２７】
ドアハンガー４は、一対のドア２のそれぞれに対して一つずつ設けられている。ドアハンガー４は、ドア２の上方に配置された状態で、ドア２に固定されている。また、ドアハンガー４は、ドアレール３（具体的には、ドアハンガー４の上端面）に掛止された状態で、該ドアレール３に沿ってスライド可能となるように構成されている。これにより、ドア２が、水平方向（前記開閉方向）に沿ってスライドできるようになっている。
【００２８】
本実施形態に係るドアハンガー４は、ドア２の上端部に配置されるベース４０と、ベース４０に設けられ、且つドアレール３上に掛止される掛止ローラー４１と、ドア２の上端部から上方に延出するように取り付けられ、且つ先端部にベース４０が固定されるブラケット４２とを有する。なお、本実施形態では、各ドア２に対して前記開閉方向に間隔をあけて並ぶ２つのブラケット４２が設けられている。
【００２９】
ベース４０には、ドアレール３に対向配置される対向面が含まれる。
【００３０】
掛止ローラー４１は、ベース４０の前記対向面に設置されており、前記対向面に対して直交する方向（すなわち、前記前後方向に対応する方向）に沿って延びる掛止ローラー軸４３を中心として回転可能である（図２、図３参照）。
【００３１】
ドアハンガー４は、この掛止ローラー４１を２つ有する。そして、２つの掛止ローラー４１は、ベース４０の横幅方向で間隔をあけて並んでいる。より具体的に説明すると、２つの掛止ローラー４１のうちの一方は、前記閉方向側におけるドアハンガー４の一端部に取り付けられ、２つの掛止ローラー４１のうちの他方は、前記開方向側におけるドアハンガー４の一端部に取り付けられている。
【００３２】
終端保持装置５は、一対のドア２のうちの他方のドア２に対応して設けられており、この他方のドア２をドアハンガー４を介して上方から押さえ付けるように構成されている。
【００３３】
終端保持装置５は、図３に示すように、ドアハンガー４の上部に固定されるフレーム５０と、ドア２が閉状態であるときに、該ドア２を閉方向側に押圧するための押圧構造５１と、を有する。
【００３４】
フレーム５０は、３つの固定位置（図３中のＰ１，Ｐ２，Ｐ３の位置）でドアハンガー４に固定されている。フレーム５０のドアハンガー４への固定位置は、終端保持装置５がドアハンガー４に押圧力を加える位置でもある。ドアハンガー４に対するフレーム５０の３つの固定位置のうち、２つの固定位置は、前記開閉方向におけるドア２の中央部から前記閉方向側にずれた位置に設定されており、他の１つの固定位置は、ドア２の中央部から前記開方向側にずれた位置に設定されている。
【００３５】
押圧構造５１は、長尺であり、且つ長手方向における両端の間がフレーム５０に対して回転可能に取り付けられるレバー部５１０と、該レバー部５１０の長手方向における一端部を下向きに付勢するレバー用付勢部５１１と、該レバー部５１０の長手方向における他端部を押し下げる押圧部材５１２と、を有する。
【００３６】
レバー部５１０は、前記前後方向に沿って延びるレバー軸を中心として回転可能である。また、レバー部５１０の一端部は、該レバー部５１０の回転中心よりも前記閉方向側に配置されている。レバー部５１０の他端部は、該レバー部５１０の回転中心よりも前記開方向側に配置されている。
【００３７】
レバー用付勢部５１１は、レバー部５１０の前記一端部とフレーム５０とを接続するように構成されている。また、レバー用付勢部５１１は、前記開閉方向におけるドア２の中央よりも前記閉方向側にずれた位置において、レバー部５１０の前記一端部を下向きに付勢するように構成されている。
【００３８】
押圧部材５１２は、プレートＰに設けられている。また、押圧部材５１２は、ドア２が閉じられた状態においてレバー部５１０の他端部を前記閉方向斜め下側に向けて押圧する閉側押圧部５１２ａと、ドア２の開閉動作時においてレバー部５１０の他端部を押圧する中間押圧部５１２ｂと、ドア２が開かれた状態においてレバー部５１０の他端部を前記開方向斜め下側に向けて押圧する開側押圧部５１２ｃ（図１参照）と、を有する。
【００３９】
閉側押圧部５１２ａは、中間押圧部５１２ｂから前記閉方向側に向かって延出している。また、閉側押圧部５１２ａは、中間押圧部５１２ｂに連続する基端側よりも先端側の方が上方に位置するように傾斜している。そのため、閉側押圧部５１２ａに当接したレバー部５１０の他端部は、閉側押圧部５１２ａによって閉方向斜め下側に向けて押圧される。
【００４０】
中間押圧部５１２ｂは、前記開閉方向に沿って真っすぐに延びている。そして、中間押圧部５１２ｂに当接したレバー部５１０の他端部は、中間押圧部５１２ｂによって下向きに押圧される。
【００４１】
開側押圧部５１２ｃは、中間押圧部５１２ｂから前記開方向側に向かって延出している。また、開側押圧部５１２ｃは、中間押圧部５１２ｂに連続する基端側よりも先端側の方が上方に位置するように傾斜している。そのため、開側押圧部５１２ｃは、レバーの他端部を開方向斜め下側に向けて押すように構成されている。
【００４２】
なお、本実施形態に係る押圧部材５１２は、閉側押圧部５１２ａ、中間押圧部５１２ｂ、開側押圧部５１２ｃが一体的に形成されており、閉側押圧部５１２ａが中間押圧部５１２ｂの長手方向における一端（前記閉方向側の一端）に連続し、開側押圧部５１２ｃが中間押圧部５１２ｂの長手方向における他端（前記開方向側の他端）に連続している。
【００４３】
脱落防止装置６は、図２、図３に示すように、ドアハンガー４に設けられた金属製の第一ローラー６０と、ドアハンガー４に設けられ且つ弾性を有する第二ローラー６１と、ドア２を閉じた状態において、ドア２を上方から押さえる押構造６２（図３参照）とを有する。
【００４４】
第一ローラー６０と第二ローラー６１とは、ドアハンガー４の対向面側に配置されている。また、第一ローラー６０と第二ローラー６１とは、対向面に対して直交する方向（すなわち、前記前後方向に対応する方向）に沿って延びる回転軸６００，６１０を中心として回転可能である。
【００４５】
ここで、図２に示すように、本実施形態に係るドア装置１は、第二ローラー６１を設置するための設置構造８を備えており、この設置構造８は、一対のブラケット４２（前記一方のドア２に設けられた一対のブラケット４２）に掛け渡されている第一設置部８０と、該第一設置部８０からベース４０の下端よりも上方の位置まで延出する第二設置部８１とを有する。
【００４６】
第二設置部８１は、前記前後方向においてベース４０の対向面からドアレール３側にずれた位置に配置されており、この第二設置部８１の先端部に第二ローラー６１が取り付けられている。
【００４７】
なお、第一設置部８０と第二設置部８１とは、金属製の板材で構成されていればよい。また、第一設置部８０と第二設置部８１とは、板厚を薄く設定すれば（例えば、２ｍｍ程度に設定すれば）、可撓性を持たせることができるため、第一設置部８０や、第二設置部８１の変形によってドア２から第二ローラー６１に伝わる力を吸収（緩和）することが可能となる。さらに、第一設置部８０と第二設置部８１とで第二ローラー６１に伝わる力を吸収できるようにする場合、第二ローラー６１は、金属製であってもよい。
【００４８】
図２、図３に示すように、第一ローラー６０と第二ローラー６１とは、掛止ローラー４１よりも下方側にずれた位置（ドアハンガー４の下端部側にずれた位置）取り付けられており、これにより、上下方向における第一ローラー６０及び第二ローラー６１と、掛止ローラー４１との間には、ドアレール３を配置できるスペースが形成されている。
【００４９】
そのため、掛止ローラー４１は上下方向においてドアレール３の上面と対向（当接）し、第一ローラー６０及び第二ローラー６１は上下方向においてドアレール３の下面に対向（当接）するように構成されている。
【００５０】
なお、第二ローラー６１は、例えば、ゴム製やウレタン製のものであればよい。また、第二ローラー６１は、ベアリング付きのローラーであることが好ましく、この場合、ドア２の開閉時に第二ローラー６１がドアレール３の下面に当接していても、ドア２の開閉動作に要するトルクの増加が抑えられる。
【００５１】
駆動機構７は、図１に示すように、モーター（図示しない）と、環状であり且つモーターの駆動力を受けて回転するベルト７０と、該ベルト７０にドアハンガー４を連結する連結部７１と、を備えている。
【００５２】
連結部７１は、前記閉方向におけるドアハンガー４の一端部とベルト７０とを連結するように構成されている。
【００５３】
本実施形態に係る脱落防止装置６を備えたドア装置の構成は以上の通りである。ドア２を閉じる際の加速に伴うドア２の振れや、閉じている最中のドア２と障害物との衝突によるドア２の傾き（浮き上がり）が生じると、ドア２が他の部材を上方（ドアレール３側）に向けて押し上げる押上力が発生し、第一ローラー６０と第二ローラー６１とがこの押上力を受けてドアレール３側に押し上げられる。
【００５４】
本実施形態の脱落防止装置６では、第二ローラー６１がドアレール３に当接しているため、ドア２の加速時においては第二ローラー６１によってドア２の振れが抑えられる。これにより、第一ローラー６０がドアレール３に摺接したままドア２が動くことが防止されるため、ドア２の振れに伴って継続的に生じる異音が防止される。
【００５５】
また、第二ローラー６１がベアリング付きのローラーである場合は、ドア２の開閉動作中の加速時に生じる抵抗力（ドアレール３の下端面と第二ローラー６１との間で発生する抵抗力）が低減するため、ドア２の開閉動作に要するトルクの増大を抑えることができる。
【００５６】
さらに、第二ローラー６１が、ドアレール３の下端面に対して押圧力を作用させていない状態、若しくは押圧力を略作用させていない状態で常時当接している場合は、第二ローラー６１とドアレール３の下端面との当接状態によりドア２の開閉時におけるトルクの増加がさらに抑制される。
【００５７】
そして、ドア２が障害物に衝突して傾く場合は、第二ローラー６０の弾性変形（ドアレール３に押し付けられることによる弾性変形）により前記押上力が吸収（緩和）され、ドアレール３への第一ローラー６０の接触が防止されるか、第一ローラー６０がドアレール３に接触する勢いを抑えることができる。そのため、ドア２が障害物に衝突した場合においては、第一ローラー６０がドアレール３に衝突することによって瞬間的に生じる異音を防止するか、抑えることができる。
【００５８】
なお、第二ローラー６１がドアレール３に接触した後であり且つ第二ローラー６１の弾性変形が限界に達する前に第一ローラー６０がドアレール３に当接するように構成されていれば、第二ローラー６１が弾性変形可能な範囲内で前記押上力を吸収（緩和）している状態で前記押上力を第一ローラー６０でも受けることができるため、第二ローラー６１の破損を防止することができる。
【００５９】
また、かかる構成を採用する場合は、第一設置部８０と第二設置部８１が受ける前記押上力も抑制されるため、該第一設置部８０や第二設置部８１の板厚が薄く設定されていても、永久変形や疲労破壊等の破損を防止することもできる。
【００６０】
このように、本実施形態に係る脱落防止装置６は、金属製の第一ローラー６０がドアレール３に衝突してしまうことを抑制することによって、異音の発生を抑えることができるという優れた効果を奏し得る。
【００６１】
また、第二ローラー６１は、前記開閉方向におけるドア２の中央よりも前記閉方向側にずれた位置に配置されているため、特に、ドア２を開く際における第一ローラー６０とドアレール３との衝突を抑制することによって異音の発生を抑えることができる。
【００６２】
さらに、ドア２を閉じる際に加速している状態において、該ドア２が障害物に衝突した場合は、閉側端に対して開側端が上方に浮き上がるようにして傾くが、第二ローラー６１が前記開閉方向におけるドア２の中央と戸閉端側に設置されている第一ローラー６０との間に配置されているため、第二ローラー６１には、ドア２が他の部材をドアレール３側に押し上げようとする力（以下、押上力と称する）が伝わりにくくなり、これにより、第二ローラー６１が破損しにくくなる。
【００６３】
なお、ドア２の開側端が一度浮き上がった後に下がる際の反動によって閉側端が浮き上がる場合、前記押上力が弱まっているため、第二ローラー６１には大きな前記押上力が伝わらないようになっている。
【００６４】
さらに、前記他方のドア２は、出入口を閉じている状態において、前記閉側端が押圧構造５１（押構造６１）によって上方から押さえ付けられるため、前記他方のドア２を開き始める際の傾き（浮き上がり）が抑えられる。従って、前記他方のドア２においても、第一ローラー６０がドアレール３の下端面に接近し難くなり、第一ローラー６０とドアレール３の下端面との衝突を抑制できる。
【００６５】
また、本実施形態では、押圧構造５１が終端保持装置５によって構成されているため、ドア２を閉じた状態を維持する終端保持装置５を、前記他方のドア２の傾きを抑えるための押構造６１として兼用できる。
【００６６】
さらに、終端保持装置５は、ドア２の開閉動作中においてはドア２を下方側のみに向けて押圧するように構成されているため、終端保持装置５の押圧力によりドア２の開閉動作が妨げられないようになっている。
【００６７】
なお、本発明の脱落防止装置は、上記実施形態に限定されるものではなく、本発明の要旨を逸脱しない範囲内において種々の変更を加え得ることは勿論である。
【００６８】
上記実施形態において、第二ローラー６１は、ドアレール３の下端面に当接した状態で配置されていたが、この構成に限定されない。例えば、第二ローラー６１は、ドアレール３の下端面との間に上下方向で間隔をあけた状態で配置され、且つ前記上下方向における前記下端面との間隔が、前記上下方向における第一ローラー６０と前記下端面との間隔よりも狭くなるように配置されていてもよい。
【００６９】
上記実施形態において、終端保持装置５は、前記開閉方向におけるドア２の中央部から前記閉方向側にずれた位置でドアハンガー４に押圧力を加えていたが、この構成に限定されない。例えば、終端保持装置５は、前記開閉方向におけるドア２の中央部に対応する位置と、該中央部から前記閉方向側にずれた位置でドアハンガー４に押圧力を加えるように構成されていてもよいし、前記開閉方向におけるドア２の中央部に対応する位置においてのみドアハンガー４に押圧力を加えるように構成されていてもよい。
【００７０】
このように、終端保持装置５を押構造６２として用いる場合、該終端保持装置５は、前記開閉方向におけるドア２の中央部、及び該中央部から前記閉方向側にずれた位置の少なくとも何れか一方でドアハンガー４に押圧力を加えるように構成されていればよい。この場合、終端保持装置５は、前記開閉方向におけるドア２の中央部から前記開方向側にずれた位置でドアハンガー４に押圧力を加えるように構成されていなくてもよい。
【００７１】
上記実施形態において、終端保持装置５のドアハンガー４への固定位置は、前記開閉方向におけるドア２の中央部を基準として該中央部を含む前記閉方向側の領域内においては、２つの位置に設定されていたが、この構成に限定されない。例えば、終端保持装置５のドアハンガー４への固定位置は、前記領域内において少なくとも一カ所設定されていればよい。終端保持装置５の押圧力は、固定位置においてドアハンガー４に伝わるため、前記領域内に固定位置が少なくとも一カ所設定されていれば、終端保持装置５によって、ドアハンガー４の前記閉方向側を上方から押さえることができる。
【００７２】
なお、本実施形態のドアでは、一対のドア２のうちの一方のドア２に設けられたドアハンガー４に対して第一ローラー６０と第二ローラー６１とが設けられ、一対のドア２のうちの他方のドア２に設けられたドアハンガー４に対して第一ローラー６０と第二ローラー６１のうちの第一ローラー６０のみが設けられている。
【００７３】
上記実施形態において、一対のドア２のうちの他方のドア２に設けられたドアハンガー４には、第一ローラー６０と第二ローラー６１のうち第一ローラー６０のみが設けられていたが、この構成に限定されない。例えば、各ドアハンガー４に対して第一ローラー６０と第二ローラー６１とが設けられていてもよい。なお、他方のドア２に固定されたドアハンガー４に第二ローラー６１を設ける場合、脱落防止構造６は、押構造６２を備えていなくてもよい。
【００７４】
この場合、例えば、図４に示すように、ムーバブルカムＣが前記他方のドア２に設けられると、ムーバブルカムＣよりも前記開方向にずれた位置に終端保持装置５が配置され、これに伴い、該終端保持装置５はドア２の前記開閉方向における中央部よりも前記開方向側にずれた位置を押すことになるが、第二ローラー６１によってドアレール３への第一ローラー６０の衝突を抑制できる。
【００７５】
また、ムーバブルカムＣが前記他方のドア２に設けられる場合、例えば、押圧構造５１が終端保持装置５とは別体物で構成されていてもよい。なお、前記他方のドア２にムーバブルカムＣが設けられていない場合であっても、押構造６２を終端保持装置５とは別体で構成することは可能である。
【００７６】
このようにして、いわゆるセンターオープンのドア２であっても、各ドア２においてドア２を開く際に第一ローラー６０がドアレール３に衝突してしまうことを抑制できる。
【００７７】
上記実施系形態において、ベース４０は、ブラケット４２を介してドア２の上端部に固定されていたが、この構成に限定されない。例えば、ベース４０は、ドア２の上端部に直接固定されていてもよい。このように、ベース４０は、ドア２の上端部に直接的又は間接的に固定されていればよい。
【００７８】
上記実施形態において、特に言及しなかったが、閉側押圧部５１２ａが前記開閉方向においてドア２の中央よりも前記閉方向側に位置している場合は、ドア２の前記閉方向側を押さえ付ける力がかかり易くなるため、第一ローラー６０がドアレール３に接近し難くすることができる。
【符号の説明】
【００７９】
１…エレベータ、２…ドア、３…ドアレール、４…ドアハンガー、５…終端保持装置、６…脱落防止装置、７…駆動機構、４０…ベース、４１…掛止ローラー、４２…延出接続部、４３…掛止ローラー軸、５０…フレーム、５１…押圧構造、６０…第一ローラー、６１…第二ローラー、６２…押構造、７０…ベルト、７１…連結部、５１０…レバー部、５１１…レバー用付勢部、５１２…押圧部材、５１２ａ…閉側押圧部、５１２ｂ…中間押圧部、５１２ｃ…開側押圧部、６００，６１０…回転軸、Ｃ…ムーバブルカム
【図１】
2020158219.tif 000003
【図２】
2020158219.tif 000004
【図３】
2020158219.tif 000005
【図４】
2020158219.tif 000006